(57)【要約】【課題】防音壁を構成可能な吸音パネルを、防音機能は維持しつつ製造コストの低廉化を図り、かつ、設置作業及び撤去作業の効率を向上させる。【解決手段】吸音パネルは、表面、裏面、上下の端面および左右の側面を有して矩形板状をなし、表面から裏面にかけてが板の厚みを規定し、吸音性を有するパネル本体と、前記パネル本体の前記上下の端面にそれぞれ内蔵される端面マグネットと、前記パネル本体の前記左右の側面にそれぞれ内蔵される側面マグネットとを備える構成とする。これにより、この吸音パネルを上下左右方向に並列させると、磁力によって吸着し、吸音パネル間の境界に隙間が生じにくくなる。さらに、特別な工具等を用意することなく、容易に防音壁の構築作業及び解体作業を行うことが可能になる。吸音パネルにマグネットを内蔵させただけの簡易な構成であるため、製造コストの低廉化等が図られる。【選択図】図３
2019094723.tif 000002
【特許請求の範囲】
【請求項１】
表面、裏面、上下の端面および左右の側面を有して矩形板状をなし、表面から裏面にかけてが板の厚みを規定し、吸音性を有するパネル本体と、
前記パネル本体の前記上下の端面にそれぞれ内蔵される端面マグネットと、
前記パネル本体の前記左右の側面にそれぞれ内蔵される側面マグネットと、を備え、
上下方向に積み上げると互いのパネル本体の端面同士が、前記端面マグネットの磁力の作用で吸着可能になっており、
左右方向に並列させると互いのパネル本体の側面同士が、前記側面マグネットの磁力の作用で吸着可能になっている、吸音パネル。
【請求項２】
前記パネル本体の上下の端面のうち一方の端面と前記表面または前記裏面との境界部に連設される上下フィンと、
前記パネル本体の左右の側面のうち一方の側面と前記表面または前記裏面との境界部に連設される左右フィンと、
前記左右フィンに内蔵される左右フィンマグネットと、をさらに備え、
左右方向にパネル本体が互いに直角をなすように組み合わせると、一方のパネル本体の側面と他方のパネル本体に連設された前記左右フィンとが、前記側面マグネットおよび前記左右フィンマグネットの磁力の作用で吸着可能になっている、請求項１に記載の吸音パネル。
【請求項３】
前記パネル本体の表面または裏面の左右の周縁部に内蔵される表裏面マグネットをさらに備え、
左右方向に並列させると、一方のパネル本体の表面または裏面のうち表裏面マグネットが内蔵された側の面の左右周縁部と他方のパネル本体に連設された前記左右フィンとが、前記表裏面マグネットおよび前記左右フィンマグネットの磁力の作用で吸着可能になっている、請求項２に記載の吸音パネル。
【請求項４】
前記上下フィンに内蔵される上下フィンマグネットをさらに備え、
前記表裏面マグネットは、前記パネル本体の表面または裏面の上下の周縁部にも内蔵されており、
上下方向に積み上げると、一方のパネル本体の表面または裏面のうち表裏面マグネットが内蔵された側の面の上下周縁部と他方のパネル本体に連設された前記上下フィンとが、前記表裏面マグネットおよび前記上下フィンマグネットの磁力の作用で吸着可能になっている、請求項３に記載の吸音パネル。
【請求項５】
前記パネル本体は、
表面、裏面、上下の端面および左右の側面を有して矩形板状をなし、表面から裏面にかけてが板の厚みを規定し、吸音性および可撓性を有する多孔質体と、
前記多孔質体を収納し、前記多孔質体の裏面の側において開口する袋体と、
前記袋体の開口を気体が流通可能に覆うネットと、を備える請求項１から４のいずれかに記載の吸音パネル。
【発明の詳細な説明】
【技術分野】
【０００１】
本発明は、吸音パネルに関する。
【背景技術】
【０００２】
従来、騒音が生じる工事現場や大型機械を稼働する工場では、周辺地域に騒音が拡散しないように騒音対策がなされているのが通常である。
そのような騒音対策として、特許文献１のように、矩形板状の吸音パネルを上下左右方向に並列させた状態で、あらかじめ設置された単管などから成る支柱体に付属するフック等の取付け部を介して取り付けることで防音壁を構築することが知られている。
【０００３】
このように防音壁を構築する際に、隣接する吸音パネル間に隙間が生じ、騒音がその隙間を通じて漏れ出すことが懸念される。
このため、特許文献１では、吸音パネルの外周に枠体を設け、この枠体の外周に弾性体を取り付けて、隣接する吸音パネル間で、互いの弾性体が反発し合うよう当接させることで、隙間を解消する試みがなされている。
【０００４】
しかしながら、特許文献１の吸音パネルは、前記弾性体及び前記枠体を備えて構造が複雑であるため、製造コストがかさみ、また防音壁を構築する際にも支柱体に取り付ける作業等を要して手間がかかる。
【先行技術文献】
【特許文献】
【０００５】
【特許文献１】特開２０１７−１８６８４９号公報
【発明の概要】
【発明が解決しようとする課題】
【０００６】
そこで、本発明の解決すべき課題は、吸音パネルについて、防音壁を構築する際に隙間が形成されにくくなる機能は維持しつつその構造を簡略化するとともに、防音壁を構築したりその防音壁を解体したりする際の設置及び撤去時の作業効率を向上させることである。
【課題を解決するための手段】
【０００７】
上記した課題を解決するため、本発明の吸音パネルでは、表面、裏面、上下の端面および左右の側面を有して矩形板状をなし、表面から裏面にかけてが板の厚みを規定し、吸音性を有するパネル本体と、前記パネル本体の前記上下の端面にそれぞれ内蔵される端面マグネットと、前記パネル本体の前記左右の側面にそれぞれ内蔵される側面マグネットと、を備えてなる。この吸音パネルを、上下方向に積み上げると互いのパネル本体の端面同士が、前記端面マグネットの磁力の作用で吸着可能になっており、左右方向に並列させると互いのパネル本体の側面同士が、前記側面マグネットの磁力の作用で吸着可能になっている。
【０００８】
このようにすると、前記吸音パネルを上下及び左右方向に並列させて防音壁を構築する際に、隣接する吸音パネル同士が吸着して連結されるため、双方の間に隙間が生じにくい。
ここで、上下左右に並列する吸音パネル同士は磁力により吸着しているため着脱が容易であり特別な工具等を用意することなく防音壁の構築作業及び解体作業を簡易に行うことが可能になる。
吸音パネルにマグネットを内蔵させただけの構成であるため、吸音パネルの外周に枠体や弾性体を設ける従来の構成と比較して構造が簡略化しており、製造コストの低廉化等が図られる。
【０００９】
発明にかかる吸音パネルは、前記パネル本体の上下の端面のうち一方の端面と前記表面または前記裏面との境界部に連設される上下フィンと、前記パネル本体の左右の側面のうち一方の側面と前記表面または前記裏面との境界部に連設される左右フィンと、前記左右フィンに内蔵される左右フィンマグネットと、をさらに備えている。このような吸音パネルを、左右方向にパネル本体が互いに直角をなすように組み合わせると、一方のパネル本体の側面と他方のパネル本体に連設された前記左右フィンとが、前記側面マグネットおよび前記左右フィンマグネットの磁力の作用で吸着可能になっている。
【００１０】
このように構成したうえで、隣接する吸音パネルの境界上に、フィンが重なるように吸音パネルを上下左右に並列させると、境界に形成されうるわずかな隙間もフィンで塞ぐことが可能になるため、防音壁の防音性能をさらに向上させることができる。
また、隣接する吸音パネル本体同士が互いに直交するように組み合わせた状態でも磁力の作用で連結させることができるため、たとえば騒音源を取り囲む防音壁を構築するなど、多様なパターンで防音壁を構築することが容易となる。
ここで、吸音パネル本体同士が互いに左右に直交するように組み合わせた状態で、隣接する吸音パネルの境界上には、前記左右フィンが重なるように吸着されているため、その隙間がフィンで塞がれて、防音壁の隅角部からの音漏れを防止することが可能になる。
【００１１】
発明にかかる吸音パネルは、前記パネル本体の表面または裏面の左右の周縁部に内蔵される表裏面マグネットをさらに備え、左右方向に並列させると、一方のパネル本体の表面または裏面のうち表裏面マグネットが内蔵された側の面の左右周縁部と他方のパネル本体に連設された前記左右フィンとが、前記表裏面マグネットおよび前記左右フィンマグネットの磁力の作用で吸着可能になっている。
【００１２】
このようにすると、吸音パネルを左右方向に並列させた際に、隣接する吸音パネルの境界上に重なる前記左右フィンが磁力の作用で位置決めされるため、そのフィンが風でばたつくなどして、境界に形成された隙間が意図せずして露出し、音漏れが発生することを防ぐことができる。
【００１３】
発明にかかる吸音パネルは、前記上下フィンに内蔵される上下フィンマグネットをさらに備え、前記表裏面マグネットは、前記パネル本体の表面または裏面の上下の周縁部にも内蔵されており、上下方向に積み上げると、一方のパネル本体の表面または裏面のうち表裏面マグネットが内蔵された側の面の上下周縁部と他方のパネル本体に連設された前記上下フィンとが、前記表裏面マグネットおよび前記上下フィンマグネットの磁力の作用で吸着可能になっている。
【００１４】
このようにすると、吸音パネルを上下方向に並列させた際に、隣接する吸音パネルの境界上に重なる前記上下フィンが磁力の作用で位置決めされるため、そのフィンが風でばたつくなどして、境界に形成された隙間が意図せずして露出し、音漏れが発生することを防ぐことができる。
【００１５】
発明にかかる吸音パネルは、前記パネル本体は、表面、裏面、上下の端面および左右の側面を有して矩形板状をなし、表面から裏面にかけてが板の厚みを規定し、吸音性および可撓性を有する多孔質体と、前記多孔質体を収納し、前記多孔質体の裏面の側において開口する袋体と、前記袋体の開口を気体が流通可能に覆うネットとを備える。
【００１６】
このようにすると、前記吸音パネルの裏面側の開口から前記多孔質体へと音が流入しやすくなり、重量を増加させることなく、防音効果を高めることが可能になる。
また、吸音パネル全体が柔軟性を有しているため、取り扱いが容易となり、防音壁の構築及び解体の作業効率が一層向上する。
【発明の効果】
【００１７】
本発明の吸音パネルを以上のように構成したので、吸音パネルについて、防音壁を構築する際に隙間が形成されにくくなる機能は維持しつつその構造を簡略化するとともに、防音壁を構築したりその防音壁を解体したりする際の設置及び撤去時の作業効率を向上させることが可能となった。
【図面の簡単な説明】
【００１８】
【図１】吸音パネルを表面側からみた斜視図
【図２】吸音パネルを裏面側からみた斜視図
【図３】吸音パネルのマグネットを透視した斜視図
【図４】吸音パネルの縦断斜視図
【図５】枠状防音構造体の（ａ）は斜視図（ｂ）は平面図
【図６】壁状防音構造体の正面図
【図７】壁状防音構造体の側面図
【発明を実施するための形態】
【００１９】
以下、図面を参照しつつ本発明の実施形態について説明する。
【００２０】
図１から図４のように、実施形態の吸音パネル１は、パネル本体１０と、端面マグネット２０と、側面マグネット３０と、係止タブ４０と、上下フィン５０と、左右フィン６０と、上下フィンマグネット７０と、左右フィンマグネット８０と、表裏面マグネット９０とを備える。
【００２１】
図１および２のように、パネル本体１０は、矩形の板状体であって、表面１０ａ、裏面１０ｂ、上下の端面１０ｃおよび左右の側面１０ｄを有する。パネル本体１０の表面１０ａから裏面１０ｂにかけてが、板状体の厚みを規定する。
前記パネル本体１０は、袋体１２と、ネット１３と、多孔質体１１とからなる。
【００２２】
図１から４のように、袋体１２は、閉塞された表面、開口する裏面、ならびにそれぞれ閉塞された上下の端面および左右の側面を有し、シリコン系樹脂から成る可撓性を有するシートから形成されている。ネット１３は、ガラス繊維を網目状に織ることで形成されて可撓性を有し、袋体１２の開口する裏面を覆うようにその開口縁に接着されている。
袋体１２の表面、上下の端面および左右の側面がパネル本体１０の表面１０ａ、上下の端面１０ｃおよび左右の側面１０ｄをそれぞれ構成し、ネット１３がパネル本体１０の裏面１０ｂを構成する。
多孔質体１１は、グラスウール、またはロックウールから形成され、吸音性及び可撓性を有する矩形板状体である。多孔質体１１は、表面、裏面、上下の端面および左右の側面を有して、それらの各面が、それぞれパネル本体１０の対応する各面と合致するように、袋体１２とネット１３により形成されるパネル本体１０の内部空間に収納されている。
【００２３】
端面マグネット２０は、フェライト等の磁性材料と、ポリ塩化ビニルやニトリルゴム等の合成ゴム材料とが混合されて成型される可撓性および磁性を有した矩形の板状体であって、表面、裏面、長手方向、幅方向を有する。表面から裏面にかけてが厚み方向と規定し、図３及び４のように、パネル本体１０の両端面のそれぞれの近傍に内蔵されている。
端面マグネット２０は、袋体１２と多孔質体１１との境界部（袋体１２の端面と多孔質体１１の端面との間）に、その長手方向が、多孔質体１１の左右方向と合致し、かつ、その厚み方向が多孔質体１１の上下方向と合致する状態で挿入されている。
端面マグネット２０の長手方向の長さは、パネル本体１０の両側面１０ｄ間の長さに略等しいか、又は僅かに小さく、幅方向の長さは、パネル本体１０の厚みに略等しいか、又は僅かに小さい。
端面マグネット２０が内蔵されていることから、複数の吸音パネル１を互いの端面が当接するよう上下方向に並列させると、磁力により吸着し合って連結するようになっている。
【００２４】
側面マグネット３０は、端面マグネット２０と同様の可撓性および磁性を有する矩形の板状体であって、表面、裏面、長手方向、幅方向、厚み方向を有する。表面から裏面にかけてが厚み方向と規定し、パネル本体１０の両側面１０ｄのそれぞれの近傍に内蔵されている。
側面マグネット３０は、袋体１２と多孔質体１１との境界部（袋体１２の側面と多孔質体１１の側面との間）に、その長手方向が、多孔質体１１の上下方向と合致し、かつ、その厚み方向が多孔質体１１の左右方向と合致する状態で挿入されている。
側面マグネット３０の長手方向の長さは、パネル本体１０の両端面１０ｃ間の長さに略等しいか、又は僅かに小さく、幅方向の長さは、パネル本体１０の厚みに略等しいか、又は僅かに小さい。
側面マグネット３０が内蔵されていることから、複数の吸音パネル１を互いの側面が当接するよう左右方向に並列させると、磁力により吸着し合って連結するようになっている。
【００２５】
係止タブ４０は、袋体１２と同一のシート体から成りその略中心に穿孔された貫通孔には、ハトメ４１が装着されている。
図２のように、係止タブ４０は、パネル本体１０の裏面１０ｂの周縁部の隅角近傍において、袋体１２と一体的に連設されている。
係止タブ４０は、その根元部（袋体１２との境界）を中心として、パネル本体１０の端面１０ｃと裏面１０ｂとの間で自由に回動することで起伏可能となっている。
【００２６】
図１から３のように、短冊形の上下フィン５０および左右フィン６０は、袋体１２と同一の可撓性を有するシート体から成り、内部空間が画成されるように袋状に形成されている。
【００２７】
上下フィン５０は、パネル本体１０の表面１０ａと下方側の端面１０ｃとの境界部から垂下するように、袋体１２に一体的に連設されている。上下フィン５０は、袋体１２との境界部を中心にパネル本体１０の表面１０ａと下方側の端面１０ｃの間で回動することで起伏可能となっている。
同様に、左右フィン６０は、パネル本体１０の表面１０ａと一方の側面１０ｄ（図１では、左方の側面）との境界部から延長されるように、袋体１２に一体的に連設されている。左右フィン６０は、袋体１２との境界部を中心にパネル本体１０の表面１０ａと一方の側面１０ｄとの間で、自由に回動することで起伏可能となっている。
【００２８】
上下フィンマグネット７０及び左右フィンマグネット８０は、端面マグネット２０と同様の可撓性および磁性を有する矩形の板状体である。
図３に示すように、上下フィンマグネット７０は袋状に形成された上下フィン５０の内部空間に、左右フィンマグネット８０は袋状に形成された左右フィン６０の内部空間にそれぞれ収納されている。
パネル本体１０に側面マグネット３０が内蔵され、左右フィン６０に左右フィンマグネット８０が内蔵されていることから、複数の吸音パネル１を左右方向に互いが直角をなすように並列させると、左右一側の吸音パネル１の左右フィン６０は左右他側の吸音パネル１のパネル本体１０の側面１０ｄに、磁力により吸着され、重なり合うようになっている。
【００２９】
表裏面マグネット９０は、端面マグネット２０と同様の可撓性および磁性を有する矩形の板状体である。
図３および４のように、表裏面マグネット９０は、パネル本体１０の表面１０ａにおいて、上下フィン５０が連設されていない側の端面１０ｃ、すなわち上方側の端面１０ｃの近傍と、左右フィン６０が連設されていない側面１０ｄ（図１では右方の側面）の近傍に内蔵されている。
表裏面マグネット９０は、袋体１２と多孔質体１１との境界部（袋体１２の表面と多孔質体１１の表面との間）に、その長手方向が、多孔質体１１の上下方向または左右方向と合致し、かつ、その幅方向が多孔質体１１の左右方向または上下方向と合致する状態で挿入されている
パネル本体１０に表裏面マグネット９０が内蔵され、上下フィン５０に上下フィンマグネット７０が内蔵され、左右フィン６０に左右フィンマグネット８０が内蔵されていることから、複数の吸音パネル１を上下左右方向に互いの端面１０ｃどうし、側面１０ｄどうしが当接するように並列させると、上側の吸音パネル１の上下フィン５０は下側の吸音パネル１のパネル本体１０の表面１０ａに、左右一側の吸音パネル１の左右フィン６０は左右他側の吸音パネル１のパネル本体１０の表面１０ａに、磁力により吸着され、重なり合うようになっている。
【００３０】
実施形態の吸音パネル１を以上のように構成することで、複数の吸音パネル１を上下左右方向に並列させると、隣接する吸音パネル１同士で吸着し合い、境界に隙間が生じにくくなる。
さらに、上下フィン５０および左右フィン６０が、境界上を跨ぐように隣接する吸音パネル１の表面１０ａ上に位置決めされるため、生じうるわずかな隙間も塞ぐことができる。
【００３１】
次に、図５から図６を参照して、この吸音パネル１を複数並列させて構築される防音構造体について説明する。
【００３２】
図５のように、複数の実施形態の吸音パネル１を角筒状に組み合わせることで、枠状防音構造体１００を構築することが可能である。
【００３３】
この枠状防音構造体１００を組み立てるには、複数の吸音パネル１を用意し、これらを各上下フィン５０が下方を向き、各裏面１０ｂが内部空間側へ向き、互いに直交するように左右方向に並列させる。それぞれの左右フィン６０を、隣接する吸音パネル１の側面１０ｄ上に配置することで、左右フィンマグネット８０と側面マグネット３０とが吸着し、隣接する吸音パネル１同士が連結して、一体の枠状防音構造体１００が形成される。
この枠状防音構造体１００は、隣接する吸音パネル１同士が互いに支え合っているため、支柱などの他の部材を用いることなく自立させることが可能となっている。
また、隣接する吸音パネル１は磁力の作用のみによって互いに連結しているため、容易に着脱可能となっており、特別な工具を用いることなく構築作業及び解体作業を行うことができる。
【００３４】
図５（ｂ）のように、小型動力装置などの騒音源Ｓを囲繞するように枠状防音構造体１００を設置することで、簡易に防音対策を行うことが可能になる。
【００３５】
また、図６のように、複数の実施形態の吸音パネル１を、同一平面をなすように組み合わせて支柱１０１ａに取り付けることで、壁状防音構造体１０１を構築することが可能である。
【００３６】
この壁状防音構造体１０１を組み立てるには、複数の吸音パネル１を用意し、各上下フィン５０が下方を向いた状態で、これらを左右方向および上下方向に同一平面をなすように並列させる。隣接する吸音パネル１間において端面マグネット２０同士および側面マグネット３０同士が吸着し、壁状を成すように連結される。この状態で、吸音パネル１の壁が倒壊しないように支柱１０１ａにより支持される。上側の吸音パネル１の上下フィン５０は、下側の吸音パネル１のパネル本体１０の表面１０ａに重なり合った状態で吸着しており、左右一側の吸音パネル１の左右フィン６０は、左右他側の吸音パネル１のパネル本体１０の表面１０ａに重なり合った状態で吸着している。
図７のように、支柱１０１ａは、複数の単管と養生クランプ１０１ｂとから成り、これら単管は左右方向に並列して地上から立ち上がるように設置され、各単管の中途の位置に上下方向に並列して養生クランプ１０１ｂが取り付けられている。
養生クランプ１０１ｂは、単管を外周から挟持するよう取り付けられ、上方へ突出するフック部１０１ｃを備える。
複数の吸音パネル１は、上下左右方向に互いに連結するように壁状に並列された状態で、それぞれの係止タブ４０のハトメ４１にフック部１０１ｃが挿入されて支柱１０１ａに係止される。
【００３７】
この壁状防音構造体１０１を構成する複数の吸音パネル１は、互いの端面１０ｃ同士及び側面１０ｄ同士をそれぞれ当接させるだけで、連結させることができるため、特別な工具を用いることなく構築作業、および分解作業が可能になっており、防音構造体の設置作業及び解体作業の効率を向上させることが可能になる。
【００３８】
以上、本発明の実施形態について説明したが、本発明の範囲は上記実施形態に限定されるものではなく、種々の変形例が適用可能である。
すなわち、今回開示された実施形態はすべての点で例示であって制限的なものではない。本発明の範囲は特許請求の範囲によって示され、特許請求の範囲内およびこれと均等の意味でのすべての修正と変形を含む。
【００３９】
実施形態の吸音パネル１では、表裏面マグネット９０は、パネル本体１０の表面１０ａの周縁部のうち一部のみに内蔵されているが、周縁部の全周に内蔵させてもよい。
また、表裏面マグネット９０を、パネル本体１０の裏面１０ｂの周縁部に内蔵させ、これに対応させて、上下フィン５０および左右フィン６０を、パネル本体１０の端面１０ｃおよび側面１０ｄと裏面１０ｂとの境界に連設させてもよい。
表裏面マグネット９０を省略することも可能である。
【００４０】
実施形態の吸音パネル１では、上下フィン５０は、パネル本体１０の上下の一方のみに、左右フィン６０は、パネル本体１０の左右の一方のみに連設されているが、上下の両方、左右の両方に設けてもよい。
たとえば、表裏面マグネット９０をパネル本体１０の表面１０ａと裏面１０ｂの両方に内蔵させたとして、上下フィン５０の一方をパネル本体１０の表面１０ａ側に他方をパネル本体１０の裏面１０ｂ側に連設し、同様に左右フィン６０の一方をパネル本体１０の表面１０ａ側に他方をパネル本体１０の裏面１０ｂ側に連設すると、複数の吸音パネル１で壁状防音構造体１０１を構築した際に、パネル本体１０の表面１０ａの周縁部上と裏面１０ｂの周縁部上において、二重に上下フィン５０、左右フィン６０による隙間隠しが行われることになる。
上下フィン５０および左右フィン６０を省略することも可能である。また、上下フィン５０の上下フィンマグネット７０を省略し、吸音パネル１を上下に同一平面上に並列させた際に、上側の吸音パネル１の上下フィン５０が自重で垂れさがることで、下側の吸音パネル１のパネル本体１０の表面１０ａに（吸着されることなく）重なり合うようにしてもよい。
【００４１】
実施形態の吸音パネル１は、係止タブ４０、上下フィン５０、および左右フィン６０をパネル本体１０の袋体１２に一体的に連設しているが、別体のものを接着剤や溶着などを用いて結合してもよい。
【００４２】
パネル本体１０は、吸音性を有する限りにおいて、実施形態の構成に限定されない。
多孔質体１１の材料は、グラスウール、またはロックウールに限られず、可撓性及び吸音性を有する材料であれば、例えばウレタン系樹脂等他の材料から成型されていてもよい。
【００４３】
端面マグネット２０を形成する磁性体の材料は、フェライトに限られず、例えばネオジム磁石の粉末が混合されていてもよい。
また、端面マグネット２０、側面マグネット３０、上下フィンマグネット７０、左右フィンマグネット８０、および表裏面マグネット９０は、同一の矩形板状磁石であっても構わない。その場合には、その矩形板状磁石は、長手方向の長さが、パネル本体１０の左右の幅および上下の長さより、わずかに小さく、上下フィン５０および左右フィン６０の内部空間に収納可能な体積でなければならない。このようにすることで、磁石の種類を統一し、製造時の手間やコストを低廉化することが可能になる。
【００４４】
端面マグネット２０は矩形板状体としているが、長手方向に並列する複数の小磁石から構成されていてもよい。その場合、それぞれの小磁石の磁界の向きは、複数の吸音パネル１が上下方向に並列するときに、互いに吸着して連結するような向きをなしていればよい。また、側面マグネット３０、上下フィンマグネット７０、左右フィンマグネット８０、および表裏面マグネット９０についても同様に、複数の小磁石から構成されていてもよい。
【００４５】
吸音パネル１から、支柱１０１ａによる支持が不要な態様の防音構造体を構築することしか想定できない場合等には、係止タブ４０を省略することも可能である。
【符号の説明】
【００４６】
１  吸音パネル
１０  パネル本体
１０ａ  表面
１０ｂ  裏面
１０ｃ  端面
１０ｄ  側面
１１  多孔質体
１２  袋体
１３  ネット
２０  端面マグネット
３０  側面マグネット
４０  係止タブ
４１  ハトメ
５０  上下フィン
６０  左右フィン
７０  上下フィンマグネット
８０  左右フィンマグネット
９０  表裏面マグネット
１００  枠状防音構造体
１０１  壁状防音構造体
１０１ａ  支柱
１０１ｂ  養生クランプ
１０１ｃ  フック部
Ｓ  騒音源
【図１】
2019094723.tif 000003
【図２】
2019094723.tif 000004
【図３】
2019094723.tif 000005
【図４】
2019094723.tif 000006
【図５】
2019094723.tif 000007
【図６】
2019094723.tif 000008
【図７】
2019094723.tif 000009